(57)【特許請求の範囲】
【請求項１】
被収容物を収容する有底筒状の容器と、容器内の被収容物を加熱・保温する加熱手段と、容器の上方開口部を覆う蓋体と、容器の外周に位置するボデーと、ボデー上方に載置した上枠とを備え、前記蓋体の外周部と上枠の蓋体外周対向面との間に蒸気を器体外に逃がすための連通路を設け、前記蓋体の外周部と前記上枠の前記蓋体外周対向面との隙間を後方に向かって徐々に大きくした保温機器。
【請求項２】
被収容物を収容する有底筒状の容器と、容器内の被収容物を加熱・保温する加熱手段と、容器の上方開口部を覆う蓋体と、容器の外周に位置するボデーと、ボデー上方に載置した上枠とを備え、前記蓋体の外周部と上枠の蓋体外周対向面との間に蒸気を器体外に逃がすための連通路を設け、前記蓋体と前記上枠との間に外気を導く吸気口を設けた保温機器。
【発明の詳細な説明】
【技術分野】
【０００１】
本発明は、オフィスや家庭などで用いられる省エネ型電気湯沸かし器などの保温機器に関するものである。
【背景技術】
【０００２】
従来、電気湯沸かし器としては、容器の外側および蓋体に断熱材を配置して、容器の側面および上方向から漏洩する熱量を抑え、保温時の保温電力量を低減するものが知られている（例えば、特許文献１参照）。
【特許文献１】特開２００５−３２３８０３号公報
【発明の開示】
【発明が解決しようとする課題】
【０００３】
しかしながら、前記従来の構成では、容器上方向および容器上方開口部の側面方向へ漏洩する熱量を抑えるために、蓋体が上枠に埋没した構成となり、蓋体と上枠との間の空間または容器のフランジ部に残った水滴が、加熱・保温されている容器からの熱により熱せられ水蒸気となり、蓋体の外周フランジ部に結露する。そして、蓋体に結露した水滴が、蓋体を開いた時に器体外に滴下し、テーブルなどを濡らしてしまうという課題があった。
【０００４】
本発明は、前記従来の課題を解決するもので、蓋体と上枠との間の空間の水分が乾燥し器体外へ排出することを促進することで、蓋体への結露および器体外へ水滴が滴下しない保温機器を提供することを目的とする。
【課題を解決するための手段】
【０００５】
前記従来の課題を解決するために、本発明の保温機器は、蓋体の外周部と上枠の蓋体外周対向面との間に蒸気を器体外に逃がすための連通路を設けたものである。
【０００６】
これによって、蓋体と上枠の間の空間に残った水分による蒸気を連通路から器体外に導出し、乾燥を促進することができるため、蓋体への結露および器体外へ水滴が滴下することを防止することができる。
【発明の効果】
【０００７】
本発明の保温機器は、蓋体への結露を防止し、蓋体を開いた時に水滴が器体外に滴下する不具合を防止することができる。
【発明を実施するための最良の形態】
【０００８】
第１の発明は、被収容物を収容する有底筒状の容器と、容器内の被収容物を加熱・保温する加熱手段と、容器の上方開口部を覆う蓋体と、容器の外周に位置するボデーと、ボデー上方に載置した上枠とを備え、前記蓋体の外周部と上枠の蓋体外周対向面との間に蒸気を器体外に逃がすための連通路を設けた保温機器とすることにより、蓋体と上枠の間の空間に残った水分による蒸気を連通路から器体外に導出し、乾燥を促進することができるため、蓋体への結露および器体外へ水滴が滴下することを防止することができる。
【０００９】
さらに、蓋体の外周部と上枠の蓋体外周対向面との隙間を後方に向かって徐々に大きくしたことにより、結露しやすい蓋体の後方フランジ部の乾燥を促進するとともに、器体正面から隙間が目立ちにくくすることができる。
【００１０】
第２の発明は、被収容物を収容する有底筒状の容器と、容器内の被収容物を加熱・保温する加熱手段と、容器の上方開口部を覆う蓋体と、容器の外周に位置するボデーと、ボデー上方に載置した上枠とを備え、前記蓋体の外周部と上枠の蓋体外周対向面との間に蒸気を器体外に逃がすための連通路を設けた保温機器とすることにより、蓋体と上枠の間の空間に残った水分による蒸気を連通路から器体外に導出し、乾燥を促進することができるため、蓋体への結露および器体外へ水滴が滴下することを防止することができる。
【００１１】
さらに、蓋体と上枠との間に外気を導く吸気口を設けたことにより、器体外から吸気口を連通して空気を流入させることで、蓋体と上枠の間の空間に自然対流を発生させ、水蒸気が器体外へ排出されるのを促進することができる。
【００１２】
以下、本発明の実施の形態について、図面を参照しながら説明する。なお、この実施の形態によって本発明が限定されるものではない。
【００１３】
（実施の形態１）
図１〜図３は、本発明の実施の形態１における保温機器の一例として電気湯沸かし器を示したものである。
【００１４】
図１に示すように、この電気湯沸かし器は、被収容物（水）２を収容する有底筒状の容器３と、容器３内の被収容物２を加熱・保温する加熱手段６と、サーミスターなどの感温素子７と、感温素子７からの電気信号により容器３内の被収容物２の温度を制御する制御回路１０と、容器３の上方開口部を開閉自在に覆う蓋体８と、蓋体８に内蔵された蓋断熱材９と、容器３の外周部に位置する筒状の断熱材１１と、断熱材１１の外周に位置するボデー１と、ボデー１上方に載置した上枠４とを備えている。
【００１５】
そして、前記容器３はその開口周縁部が上枠４に装備されており、容器３の開口周縁部と蓋体８間には、シリコーンゴムなど弾性体のパッキンが施されシール部５を構成しているものである。
【００１６】
また、電気湯沸かし器は、容器３内の被収容物（水）２を、導出パイプ１７を通して吐出口１８から適宜吐出させるポンプ１６も備えている。また、蓋体８には、容器３内の被収容物（水）２を加熱し沸騰させた時に発生する蒸気を器体外へ放出させるための蒸気通路１９が設けてある。
【００１７】
なお、加熱手段６は容器３の底部、側面、または被収容物（水）２の中などに配置できるものであり、その配設位置は特に限定されるものではない。
【００１８】
ここで、図２に示すように、蓋体８の外周部に上枠４と対向するフランジ部１２が構成され、蓋体８の外周部と、上枠４の蓋体外周対向面との間の後部には、部分的に蒸気を器体外に逃がすための連通路１３を設けている。この連通路１３は、蓋体８の外周部と上枠４の蓋体外周対向面とにそれぞれ切欠部１３ａ、１３ｂを設けて構成したものである。切欠部１３ａ、１３ｂはその両方を設けることなく、いずれか一方のみを設けるものであってもよい。
【００１９】
図３に示すように、連通路１３を設けたことにより、蓋体８と上枠４の間の空間に残った水分による水蒸気１４をこの連通路１３から蓋体８の外周部と上枠４との隙間１５を通して器体外に導出し、乾燥を促進することができるもので、蓋体８への結露および器体外へ水滴が滴下することを防止することができる。
【００２０】
次に、本実施の形態における保温機器の作用を説明する。
【００２１】
電気湯沸かし器は、一般によく知られているように、蓋体８を開放して容器３内に被収容物（水）２を入れ、被収容物（水）２を加熱・保温する。そして、ポンプ１６の駆動により、導出パイプ１７を通して、吐出口１８から湯を適宜吐出させることができるものである。また、被収容物（水）２を加熱し沸騰させた時に発生する蒸気は、蓋体８に設けられた蒸気通路１９を通り、器体外へ放出されるものである。
【００２２】
被収容物２は加熱手段６により一定温度に加熱・保温され、保温中は容器３の外周部に配置した筒状の断熱材１１と、蓋体８内部の蓋断熱材９により、容器３側面と、容器３上方からの放熱を抑制できるものである。
【００２３】
被収容物（水）２は一定温度（６０℃から９８℃）で長時間保温されているため、蓋体８の被収容物（水）２に対向した蓋体下面８ａには水滴が結露している。このとき、蓋体８を開放することで、蓋体下面８ａに付着した水滴が容器３内および容器３のシール部５などに滴下する。この滴下した水滴が、再び蓋体８を閉じた時に、シール部５により、容器３外部に残る。容器３は被収容物（水）２を保温しており、高温になっており、シール部５付近も高温であるため、シール部５の容器３の外側に残った水滴は蒸発し、水蒸気となって、蓋体８と上枠４の間の空間に充満する。水蒸気は器体外部の温度に近いフランジ部１２に結露する。シール部５付近からの水蒸気１４の上昇が続く限り、フランジ部１２には結露し続ける。蓋体８と上枠４の間に連通路１３を設けることで、水蒸気１４が上昇しやすくなり、蓋体８と上枠４の隙間１５を通って水蒸気１４を器体外へ排出することを促進し、蓋体８と上枠４の間の空間を乾燥させることができる。これにより、フランジ部１２に結露する水滴も乾燥するため、蓋体８を開いた時に水滴が器体外に滴下することを防止することができる。
【００２４】
また、連通路１３は、蓋体８にのみ切欠部１３ａを設けるか、上枠４の蓋体８との蓋体外周対向面にのみ切欠部１３ｂを設けるか、あるいは両者の切欠部１３ａ、１３ｂを同時に設けるかのいずれであっても同様の効果を得ることができる。
【００２５】
（参考の実施の形態１）
図４は、本発明の参考の実施の形態１における保温機器を示すものである。以下の参考の実施の形態では実施の形態１と同一要素については同一符号を付して説明を省略する。
【００２６】
図に示すように、本参考の実施の形態では、切欠部１３ａ上方を傾斜面２０としている。
【００２７】
これにより、水蒸気１４が上昇する時に切欠部１３ａの上面に結露し水滴が大きく成長することを防止する。結露し大きな水滴に成長すると、乾燥するのに時間がかかり、フランジ部１２への結露が解消するまでの時間も長くなるが、切欠部１３ａ上方を傾斜面２０とすることで、切欠部１３ａ上面に結露および水滴付着しにくくし、水蒸気１４の隙間１５からの排出を促進し、乾燥を早めることができる。
【００２８】
なお、上枠４の切欠部１３ｂにおいても傾斜面とすることにより同様な効果が期待できるものである。
【００２９】
これにより、フランジ部１２への結露および水滴付着を、より防止し、器体外への水滴滴下をより防止する効果がある。
【００３０】
（参考の実施の形態２）
図５は、本発明の参考の実施の形態２における保温機器を示したものである。以下の参考の実施の形態では実施の形態１と同一要素については同一符号を付して説明を省略する。
【００３１】
図に示すように、本参考の実施の形態では、蓋体８外周のフランジ部１２に連通路１３と通じる蒸気抜き穴２１を設けたものである。
【００３２】
これにより、フランジ部１２に設けられた蒸気抜き穴２１から水蒸気１４が器体外に排出されるので、より高い乾燥効果とフランジ部１２への結露および水滴付着を防止することができる。
【００３３】
（実施の形態２）
図６は、本発明の実施の形態２における保温機器を示したものである。以下の実施の形態では実施の形態１と同一要素については同一符号を付して説明を省略する。
【００３４】
図に示すように、本実施の形態では、蓋体８と上枠４の隙間１５は、器体上面の外周に位置するが、隙間１５を前方から後方に向かって（蓋体８の軸支側に向かって）徐々に大きくしたものである。
【００３５】
これにより、蓋体８を開いたときに器体外へ滴下する水滴が付着する後方部のフランジ部１２の乾燥を促進するとともに、後方の隙間１５を大きくすることで、器体正面から隙間１５を目立ちにくくし、外観品質低下しないように配慮することができる。
【００３６】
（参考の実施の形態３）
図７は、本発明の参考の実施の形態３における保温機器を示したものである。以下の参考の実施の形態では実施の形態１と同一要素については同一符号を付して説明を省略する。
【００３７】
図に示すように、本参考の実施の形態では、蓋体８の外周の立ち上り部２２をテーパ状にすることで連通路１３を形成している。
【００３８】
これにより、蓋体８外周部のフランジ部１２の面積を小さくすることで、結露する箇所を無くすことができ、結露することを防止することができる。
【００３９】
（実施の形態３）
図８は、本発明の実施の形態３における保温機器を示したものである。以下の実施の形態では実施の形態１と同一要素については同一符号を付して説明を省略する。
【００４０】
図に示すように、本実施の形態では、蓋体８と上枠４との間に外気を導く吸気口２３を設けたものである。
【００４１】
これにより、吸気口２３から器体外の空気を導くことで、蓋体８と上枠４との間の空間に滞留する、暖められた空気に、器体外からの冷たい空気が流れ込み、温度差による対流が起こる。これにより、隙間１５からの水蒸気１４の排出が促進され、蓋体８と上枠４との間の空間の乾燥効果を高めることができる。これにより、蓋体８のフランジ部１２への結露を防止し、器体外への水滴滴下を防止することができる。
【産業上の利用可能性】
【００４２】
以上のように、本発明にかかる保温機器は、蓋体への結露を防止し、蓋体を開いた時に水滴が器体外に滴下する不具合を防止することができるので、電気湯沸かし器はもちろんのこと、炊飯器、保温調理器、給湯器など保温を目的とする機器にも適用できる。
【図面の簡単な説明】
【００４３】
【図１】本発明の実施の形態１における保温機器の一例を示す電気湯沸かし器の縦断面図
【図２】同電気湯沸かし器の斜視図
【図３】同電気湯沸かし器の要部断面図
【図４】本発明の参考の実施の形態１における保温機器の要部断面図
【図５】本発明の参考の実施の形態２における保温機器の要部断面図
【図６】本発明の実施の形態２における保温機器の一例を示す電気湯沸かし器の斜視図
【図７】本発明の参考の実施の形態３における保温機器の要部断面図
【図８】本発明の実施の形態３における保温機器の要部断面図
【符号の説明】
【００４４】
１  ボデー
２  被収容物
３  容器
４  上枠
６  加熱手段
８  蓋体
１２  フランジ部
１３  連通路
１３ａ、１３ｂ  切欠部
１５  隙間
２０  傾斜面
２１  蒸気抜き穴
２２  立ち上り部
２３  吸気口
【図１】
0004720598.tif 000002
【図２】
0004720598.tif 000003
【図３】
0004720598.tif 000004
【図４】
0004720598.tif 000005
【図５】
0004720598.tif 000006
【図６】
0004720598.tif 000007
【図７】
0004720598.tif 000008
【図８】
0004720598.tif 000009